(57)【要約】【課題】  フィールドシーケンシャル方式の液晶表示装置において、映像電圧の書き込み時間を長くし、かつ、光源の点灯時間を長くして、表示画像の輝度を向上させる。【解決手段】  各画素は、Ｒ、Ｇ、Ｂの３色毎に、第１ストア容量と第２ストア容量とを有し、ｋフレーム期間に、前記各画素の各色の第１ストア容量に各色の映像電圧を順次書き込むとともに、１フレーム期間を３分割した各サブフレーム毎に、前記各画素の各色の第２ストア容量に書き込まれた３色の映像電圧を順次一括して前記各画素の画素容量に書き込み、（ｋ＋１）フレーム期間に、前記各画素の各色の第２ストア容量に各色の映像電圧を順次書き込むとともに、前記各サブフレーム毎に、前記各画素の各色の第１ストア容量に書き込まれた３色の映像電圧を順次一括して前記各画素の画素容量に書き込み、前記バックライトは、前記各画素電極に書き込まれた映像信号に対応する色の光を発光させる。【選択図】        図７
2007155983.tif 000002
【特許請求の範囲】
【請求項１】
複数の画素を有する液晶表示パネルと、
複数色の光を照射するバックライトとを備え、
前記各画素は、第１ストア容量と、第２ストア容量とを有し、
第１期間に、前記各画素の第１ストア容量に映像電圧を順次書き込むとともに、前記各画素の第２ストア容量に書き込まれた映像電圧を一括して各画素の画素容量に書き込み、
前記第１期間に続く第２期間に、前記各画素の第２ストア容量に映像電圧を順次書き込むとともに、前記各画素の第１ストア容量に書き込まれた映像電圧を一括して各画素の画素容量に書き込み、
前記バックライトは、前記各画素電極に書き込まれた映像信号に対応する色の光を発光させることを特徴とする液晶表示装置。
【請求項２】
前記映像電圧は、Ｒ，Ｇ，Ｂの３色の映像信号であり、
前記３色の映像信号は、所定の順番で、第１ストア容量と第２ストア容量に交互に書き込まれることを特徴とする請求項１に記載の液晶表示装置。
【請求項３】
前記各第１ストア容量と前記映像電圧が供給される映像線との間に第１トランジスタを有し、
前記第１トランジスタのゲートは、第１走査線に接続され、
前記第１走査線には、前記第１の期間に、前記第１トランジスタを表示ライン毎に順次オンとする選択電圧が供給され、前記第２の期間に、前記各第１トランジスタをオフとする非選択電圧が供給され、
前記各第２ストア容量と前記映像電圧が供給される映像線との間に第２トランジスタを有し、
前記第２トランジスタのゲートは、第２走査線に接続され、
前記第２走査線には、前記第１の期間に、前記各第２トランジスタをオフとする非選択電圧が供給され、前記第２の期間に、前記第２トランジスタを表示ライン毎に順次オンとする選択電圧が供給されることを特徴とする請求項１に記載の液晶表示装置。
【請求項４】
前記各第１ストア容量と各画素電極との間に第１転送用トランジスタを有し、
前記第１転送用トランジスタのゲートは、第１転送用走査線に接続され、
前記第１転送走査線には、前記第１の期間に、前記転送用第１トランジスタをオフとする非転送電圧が供給され、前記第２の期間に、前記転送用第１トランジスタをオンとする転送電圧が供給され、
前記各第２ストア容量と前記各画素電極との間に第２転送用トランジスタを有し、
前記第２転送用トランジスタのゲートは、第２転送用走査線に接続され、
前記第２転送走査線には、前記第１の期間に、前記転送用第２トランジスタをオンとする転送電圧が供給され、前記第２の期間に、前記転送用第２トランジスタをオフとする非転送電圧が供給されることを特徴とする請求項１ないし請求項３のいずれか１項に記載の液晶表示装置。
【請求項５】
前記第１の期間と、前記第２の期間の初めに、前記各画素電極にリセット電圧を印加することを特徴とする請求項１ないし請求項４のいずれか１項に記載の液晶表示装置。
【請求項６】
前記リセット電圧が供給されるリセット線を有し、
前記リセット線と前記各画素電極との間に、リセット用トランジスタを有し、
前記リセット用トランジスタのゲートは、リセット走査線に接続され、
前記リセット走査線には、前記第１の期間と、前記第２の期間の初めに、前記リセット用トランジスタをオンとする電圧が供給されることを特徴とする請求項５に記載の液晶表示装置。
【請求項７】
複数の画素を有する液晶表示パネルと、
複数色の光を照射するバックライトとを備え、
前記各画素は、ｊ（ｊ≧３）色毎に、第１ストア容量と第２ストア容量とを有し、
ｋを任意の数とするとき、ｋフレーム期間に、前記各画素の各色の第１ストア容量に各色の映像電圧を順次書き込むとともに、１フレーム期間をｊ分割した各サブフレーム毎に、前記各画素の各色の第２ストア容量に書き込まれたｊ色の映像電圧を順次一括して前記各画素の画素容量に書き込み、
（ｋ＋１）フレーム期間に、前記各画素の各色の第２ストア容量に各色の映像電圧を順次書き込むとともに、前記各サブフレーム毎に、前記各画素の各色の第１ストア容量に書き込まれたｊ色の映像電圧を順次一括して前記各画素の画素容量に書き込み、
前記バックライトは、前記各画素電極に書き込まれた映像信号に対応する色の光を発光させることを特徴とする液晶表示装置。
【請求項８】
前記ｊ色は、Ｒ，Ｇ，Ｂの３色であることを特徴とする請求項７に記載の液晶表示装置。
【請求項９】
前記各色の第１ストア容量と前記映像電圧が供給される映像線との間に第１トランジスタを有し、
前記第１トランジスタのゲートは、第１走査線に接続され、
前記第１走査線には、前記ｋフレーム期間に、前記第１トランジスタを表示ライン毎に順次オンとする選択電圧が供給され、前記（ｋ＋１）フレーム期間に、前記各第１トランジスタをオフとする非選択電圧が供給され、
前記各色の第２ストア容量と前記映像線との間に第２トランジスタを有し、
前記第２トランジスタのゲートは、第２走査線に接続され、
前記第２走査線には、前記ｋフレーム期間に、前記各第２トランジスタをオフとする非選択電圧が供給され、前記（ｋ＋１）フレーム期間に、前記第２トランジスタを表示ライン毎に順次オンとする選択電圧が供給されることを特徴とする請求項７または請求項８に記載の液晶表示装置。
【請求項１０】
前記各第１ストア容量と前記各画素電極との間に各色毎の第１転送用トランジスタを有し、
前記各色毎の第１転送用トランジスタのゲートは、各色毎の第１転送用走査線に接続され、
前記各色毎の第１転送走査線には、前記ｋフレーム期間に、前記各色毎の転送用第１トランジスタをオフとする非転送電圧が供給され、前記（ｋ＋１）フレーム期間の各サブフレーム期間毎に、前記各色毎の転送用第１トランジスタを順次オンとする転送電圧が供給され、
前記各第２ストア容量と前記各画素電極との間に各色毎の第２転送用トランジスタを有し、
前記各色毎の第２転送用トランジスタのゲートは、各色毎の第２転送用走査線に接続され、
前記各色毎の第２転送走査線には、前記ｋフレーム期間の各サブフレーム期間毎に、前記各色毎の転送用第２トランジスタを順次オンとする転送電圧が供給され、前記（ｋ＋１）フレーム期間に、前記各色毎の転送用第２トランジスタをオフとする非転送電圧が供給されることを特徴とする請求項７ないし請求項９のいずれか１項に記載の液晶表示装置。
【請求項１１】
各サブフレームの初めに、前記各画素電極にリセット電圧を印加することを特徴とする請求項７ないし請求項１０のいずれか１項に記載の液晶表示装置。
【請求項１２】
前記リセット電圧が供給されるリセット線を有し、
前記リセット線と前記各画素電極との間に、リセット用トランジスタを有し、
前記リセット用トランジスタのゲートは、リセット走査線に接続され、
前記リセット走査線には、各サブフレームの初めに、前記リセット用トランジスタをオンとする電圧が供給されることを特徴とする請求項１１に記載の液晶表示装置。
【請求項１３】
前記映像線は、リセット線を兼用することを特徴とする請求項６または請求項１２に記載の液晶表示装置。
【発明の詳細な説明】
【技術分野】
【０００１】
本発明は、液晶表示装置に係り、特に、フィールドシーケンシャル方式の液晶表示装置の駆動方式に関する。
【背景技術】
【０００２】
フィールドシーケンシャル方式の液晶表示装置では、カラー画像を表示するのにカラーフィルターを使用せずに、赤、緑、青の映像信号を順次液晶パネルの各画素に書き込み、それにあわせて、バックライトの色を赤、緑、青と切り替えて順次点灯させ、カラー画像を表示する。
このフィールドシーケンシャル方式の液晶表示装置は、カラーフィルタが必要ないため、カラーフィルタによる光の吸収がなく、さらに、カラーフィルター方式のように、液晶表示パネルに、赤、緑、青の画素を作る必要がなく、画素の開口領域が広く取れるので、表示画像の輝度を向上させることが可能である。また、当然の如く、カラーフィルター分のコストも下げることができる。
このフィールドシーケンシャル方式の液晶表示装置は、例えば、下記特許文献１ないし特許文献４に記載されている。
【０００３】
なお、本願発明に関連する先行技術文献としては以下のものがある。
【特許文献１】特開平９−１１４４２１号公報
【特許文献２】特開２０００−１９３９３７号公報
【特許文献３】特開２００３−１２２３１４号公報
【特許文献４】特開２０００−１９９８８５号公報
【発明の開示】
【発明が解決しようとする課題】
【０００４】
前述したように、フィールドシーケンシャル方式の液晶表示装置は、カラーフィルタによる光の吸収がなく、さらに、画素の開口領域が広く取れるので、表示画像の輝度を向上させることが可能である。
しかしながら、１フレーム内で、赤、緑、青の画像を表示するため、バックライトの点灯時間を長くして、表示画像の輝度を向上させるためには、映像電圧の書き込み時間を短縮する必要があった。
本発明は、前記従来技術の問題点を解決するためになされたものであり、本発明の目的は、フィールドシーケンシャル方式の液晶表示装置において、映像電圧の書き込み時間を長くし、かつ、光源の点灯時間を長くして、表示画像の輝度を向上させることが可能な技術を提供することにある。
本発明の前記ならびにその他の目的と新規な特徴は、本明細書の記述及び添付図面によって明らかにする。
【課題を解決するための手段】
【０００５】
本願において開示される発明のうち、代表的なものの概要を簡単に説明すれば、下記の通りである。
（１）本発明の液晶表示装置は、複数の画素を有する液晶表示パネルと、複数色の光を照射するバックライトとを備え、前記各画素は、第１ストア容量と、第２ストア容量とを有し、第１期間に、前記各画素の第１ストア容量に映像電圧を順次書き込むとともに、前記各画素の第２ストア容量に書き込まれた映像電圧を一括して各画素の画素容量に書き込み、前記第１期間に続く第２期間に、前記各画素の第２ストア容量に映像電圧を順次書き込むとともに、前記各画素の第１ストア容量に書き込まれた映像電圧を一括して各画素の画素容量に書き込み、前記バックライトは、前記各画素電極に書き込まれた映像信号に対応する色の光を発光させる。
（２）本発明では、前記映像電圧は、Ｒ，Ｇ，Ｂの３色の映像信号であり、前記３色の映像信号は、所定の順番で、第１ストア容量と第２ストア容量に交互に書き込まれる。
（３）本発明では、前記各第１ストア容量と前記映像電圧が供給される映像線との間に第１トランジスタを有し、前記第１トランジスタのゲートは、第１走査線に接続され、前記第１走査線には、前記第１の期間に、前記第１トランジスタを表示ライン毎に順次オンとする選択電圧が供給され、前記第２の期間に、前記各第１トランジスタをオフとする非選択電圧が供給され、前記各第２ストア容量と前記映像電圧が供給される映像線との間に第２トランジスタを有し、前記第２トランジスタのゲートは、第２走査線に接続され、前記第２走査線には、前記第１の期間に、前記各第２トランジスタをオフとする非選択電圧が供給され、前記第２の期間に、前記第２トランジスタを表示ライン毎に順次オンとする選択電圧が供給される。
【０００６】
（４）本発明では、前記各第１ストア容量と各画素電極との間に第１転送用トランジスタを有し、前記第１転送用トランジスタのゲートは、第１転送用走査線に接続され、前記第１転送走査線には、前記第１の期間に、前記転送用第１トランジスタをオフとする非転送電圧が供給され、前記第２の期間に、前記転送用第１トランジスタをオンとする転送電圧が供給され、前記各第２ストア容量と前記各画素電極との間に第２転送用トランジスタを有し、前記第２転送用トランジスタのゲートは、第２転送用走査線に接続され、前記第２転送走査線には、前記第１の期間に、前記転送用第２トランジスタをオンとする転送電圧が供給され、前記第２の期間に、前記転送用第２トランジスタをオフとする非転送電圧が供給される。
（５）本発明では、前記第１の期間と、前記第２の期間の初めに、前記各画素電極にリセット電圧を印加する。
（６）本発明では、前記リセット電圧が供給されるリセット線を有し、前記リセット線と前記各画素電極との間に、リセット用トランジスタを有し、前記リセット用トランジスタのゲートは、リセット走査線に接続され、前記リセット走査線には、前記第１の期間と、前記第２の期間の初めに、前記リセット用トランジスタをオンとする電圧が供給される。
【０００７】
（７）本発明の液晶表示装置は、複数の画素を有する液晶表示パネルと、複数色の光を照射するバックライトとを備え、前記各画素は、ｊ（ｊ≧３）色毎に、第１ストア容量と第２ストア容量とを有し、ｋを任意の数とするとき、ｋフレーム期間に、前記各画素の各色の第１ストア容量に各色の映像電圧を順次書き込むとともに、１フレーム期間をｊ分割した各サブフレーム毎に、前記各画素の各色の第２ストア容量に書き込まれたｊ色の映像電圧を順次一括して前記各画素の画素容量に書き込み、（ｋ＋１）フレーム期間に、前記各画素の各色の第２ストア容量に各色の映像電圧を順次書き込むとともに、前記各サブフレーム毎に、前記各画素の各色の第１ストア容量に書き込まれたｊ色の映像電圧を順次一括して前記各画素の画素容量に書き込み、前記バックライトは、前記各画素電極に書き込まれた映像信号に対応する色の光を発光させる。
（８）本発明では、前記ｊ色は、Ｒ，Ｇ，Ｂの３色である。
（９）本発明では、前記各色の第１ストア容量と前記映像電圧が供給される映像線との間に第１トランジスタを有し、前記第１トランジスタのゲートは、第１走査線に接続され、前記第１走査線には、前記ｋフレーム期間に、前記第１トランジスタを表示ライン毎に順次オンとする選択電圧が供給され、前記（ｋ＋１）フレーム期間に、前記各第１トランジスタをオフとする非選択電圧が供給され、前記各色の第２ストア容量と前記映像線との間に第２トランジスタを有し、前記第２トランジスタのゲートは、第２走査線に接続され、前記第２走査線には、前記ｋフレーム期間に、前記各第２トランジスタをオフとする非選択電圧が供給され、前記（ｋ＋１）フレーム期間に、前記第２トランジスタを表示ライン毎に順次オンとする選択電圧が供給される。
【０００８】
（１０）本発明では、前記各第１ストア容量と前記各画素電極との間に各色毎の第１転送用トランジスタを有し、前記各色毎の第１転送用トランジスタのゲートは、各色毎の第１転送用走査線に接続され、前記各色毎の第１転送走査線には、前記ｋフレーム期間に、前記各色毎の転送用第１トランジスタをオフとする非転送電圧が供給され、前記（ｋ＋１）フレーム期間の各サブフレーム期間毎に、前記各色毎の転送用第１トランジスタを順次オンとする転送電圧が供給され、前記各第２ストア容量と前記各画素電極との間に各色毎の第２転送用トランジスタを有し、前記各色毎の第２転送用トランジスタのゲートは、各色毎の第２転送用走査線に接続され、前記各色毎の第２転送走査線には、前記ｋフレーム期間の各サブフレーム期間毎に、前記各色毎の転送用第２トランジスタを順次オンとする転送電圧が供給され、前記（ｋ＋１）フレーム期間に、前記各色毎の転送用第２トランジスタをオフとする非転送電圧が供給される。
（１１）本発明では、各サブフレームの初めに、前記各画素電極にリセット電圧を印加する。
（１２）本発明では、前記リセット電圧が供給されるリセット線を有し、前記リセット線と前記各画素電極との間に、リセット用トランジスタを有し、前記リセット用トランジスタのゲートは、リセット走査線に接続され、前記リセット走査線には、各サブフレームの初めに、前記リセット用トランジスタをオンとする電圧が供給される。
（１３）本発明では、前記映像線は、リセット線を兼用する。
【発明の効果】
【０００９】
本願において開示される発明のうち代表的なものによって得られる効果を簡単に説明すれば、下記の通りである。
本発明のフィールドシーケンシャル方式の液晶表示装置によれば、映像電圧の書き込み時間を長くし、かつ、光源の点灯時間を長くして、表示画像の輝度を向上させることが可能となる。
【発明を実施するための最良の形態】
【００１０】
以下、図面を参照して本発明の実施例を詳細に説明する。
なお、実施例を説明するための全図において、同一機能を有するものは同一符号を付け、その繰り返しの説明は省略する。
［実施例１］
図１は、本発明の実施例１の液晶表示モジュールの概略構成を示すブロック図である。
本実施例の液晶表示モジュールは、複数の画素を有する液晶表示パネル１０と、バックライト（ＢＬ）とを有する。液晶表示パネル１０は、各画素に映像電圧を供給するソースドライバ２０と、走査電圧を供給するゲートドライバ３０とを有する。
バックライト（ＢＬ）は、点灯制御回路４０により駆動される。そして、ソースドライバ２０、ゲートドライバ３０、および点灯制御回路４０は、タイミング制御回路５０により制御・駆動される。
液晶表示パネル１０は、Ｎ行、Ｍ列のマトリックス状に配置される（Ｎ×Ｍ）の画素を有する。
図２は、本実施例の液晶表示パネル１０の１画素の構成を示す図である。
図２に示すように、本実施例の液晶表示パネル１０の各画素は、表示電極（ＩＴＯ１）と、第１のストア部（ＰＳＡ）と、第２のストア部（ＰＳＢ）とを有する。
映像線（または、ドレイン線）（Ｄ）と第１のストア部（ＰＳＡ）との間には、第１薄膜トランジスタ（Ｍ１Ａ；以下、単に、ＴＦＴという。）が接続される。この第１ＴＦＴ（Ｍ１Ａ）のゲートは、第１走査線（または、ゲート線）（ＧＡ）に接続される。
また、映像線（Ｄ）と第２のストア部（ＰＳＢ）との間には、第２ＴＦＴ（Ｍ１Ｂ）が接続される。この第２ＴＦＴ（Ｍ１Ｂ）のゲートは、第２走査線（ＧＢ）に接続される。
【００１１】
また、第１のストア部（ＰＳＡ）と表示電極（ＩＴＯ１）との間には、第１転送用ＴＦＴ（Ｍ２Ａ）が接続される。この第１転送用ＴＦＴ（Ｍ２Ａ）のゲートは、第１転送用走査線（ＴＧＡ）に接続される。
また、第２のストア部（ＰＳＢ）と表示電極（ＩＴＯ１）との間には、第２転送用ＴＦＴ（Ｍ２Ｂ）が接続される。この第２転送用ＴＦＴ（Ｍ２Ｂ）のゲートは、第２転送用走査線（ＴＧＢ）に接続される。
ここで、第１走査線（ＧＡ）と、第２走査線（ＧＢ）とは、各表示ラインに対応してＮ本並列して配置され、映像線（Ｄ）は、Ｍ本並列して配置される。複数の第１走査線（ＧＡ）と、複数の第２走査線（ＧＢ）と、複数の映像線（Ｄ）との交差する部分に対応して画素が設けられる。
また、第１転送用ＴＦＴ（Ｍ２Ａ）のゲートに印加される駆動電圧、あるいは、第２転送用ＴＦＴ（Ｍ２Ｂ）のゲートに印加される駆動電圧は、同じ電圧であるので、第１転送用走査線（ＴＧＡ）、あるいは、第２転送用走査線（ＴＧＢ）は、各表示ラインに対応してＮ本並列して配置しても、あるいは、グループ単位で配置しても、さらには、１本だけ配置するようにしてもよい。
なお、第１走査線（ＧＡ）、第２走査線（ＧＢ）、第１転送用走査線（ＴＧＡ）、および、第２転送用走査線（ＴＧＢ）は、ゲートドライバ３０に接続され、映像線（Ｄ）は、ソースドライバ２０に接続される。
【００１２】
図３は、図２に示す画素の等価回路を示す回路図である。
図３に示すように、第１のストア部（ＰＳＡ）は、第１のストア容量（ＣｓＡ）で構成され、第２のストア部（ＰＳＢ）は、第２のストア容量（ＣｓＢ）で構成される。
なお、図３では、各画素電極（ＩＴＯ１）に、リセット線（Ｖｒｓ）に供給されるリセット電圧を印加するリセット用ＴＦＴ（Ｍ３）が追加される。このリセット用ＴＦＴ（Ｍ３）のゲートは、リセット走査線（ＲＧ）に接続される。
リセット用ＴＦＴ（Ｍ３）のゲートに印加される駆動電圧は、同じ電圧であるので、リセット走査線（ＲＧ）は、各各表示ラインに対応してＮ本並列して配置しても、あるいは、グループ単位で配置しても、さらには、１本だけ配置するようにしてもよい。
同様に、リセット線（Ｖｒｓ）も、Ｍ本並列して配置しても、あるいは、グループ単位で配置しても、さらには、１本だけ配置するようにしてもよい。
なお、リセット走査線（ＲＧ）、および、リセット線（Ｖｒｓ）は、ゲートドライバ３０に接続される。
【００１３】
本実施例の液晶表示パネル１０では、液晶を挟み、各画素電極（ＩＴＯ１）に対向するように、共通電極（対向電極、または、コモン電極ともいう）（Ｖｃｏｍ）が設けられる。そのため、各画素電極（ＩＴＯ１）と共通電極（Ｖｃｏｍ）との間には液晶容量（ＬＣ）が形成される。各画素の画素容量には、この液晶容量（ＬＣ）が含まれる。
液晶表示パネル１０は、画素電極（ＩＴＯ１）、トランジスタ（ＴＦＴ）等が設けられたガラス基板（ＧＬＡＳ１）と、共通電極（Ｖｃｏｍ）等が形成されるガラス基板（ＧＬＡＳ２）とを、所定の間隙を隔てて重ね合わせ、該両基板間の周縁部近傍に枠状に設けたシール材により、両基板を貼り合わせると共に、シール材の一部に設けた液晶封入口から両基板間のシール材の内側に液晶を封入、封止し、さらに、両基板の外側に偏光板を貼り付けて構成される。
なお、本発明は、液晶パネルの内部構造とは関係がないので、液晶パネルの内部構造の詳細な説明は省略する。
【００１４】
図９は、従来のフィールドシーケンシャル方式の液晶表示モジュールの駆動方法を説明するための図である。なお、図９において、Ｔ１は、映像信号の書き込み期間、Ｔ２は、液晶が応答する期間、Ｔ３は、バックライトの点灯期間を示す。また、ＦＬＭは、フレーム期間、ＳＦＬＭは、サブフレームを表す。
図９に示すように、従来のフィールドシーケンシャル方式の液晶表示モジュールでは、１フレーム期間が、Ｒ、Ｇ，Ｂの各色の画像をそれぞれ表示する３つのサブフレームに分割される。
各サブフレーム毎の映像信号の書き込み期間に、ゲートドライバから各走査線に選択電圧を供給し、１表示ライン毎に各走査線を順次選択して、画素トランジスタ（ＴＦＴ）をオンとするとともに、ソースドライバから映像線に各色の映像電圧を供給し、各画素容量に、Ｒ、Ｇ，Ｂの各色の映像電圧を書き込む。
その後、液晶が応答する期間（Ｔ２の期間）経過後に、バックライト（ＢＬ）を所定期間（Ｔ３の期間）点灯し、液晶表示パネル１０に書き込まれた映像電圧の色と同じ色の光を照射することにより、液晶表示パネル１０にカラー画像を表示する。
この時、映像電圧の書き込み時間が遅くなり、図９のＴ１の期間内に映像電圧の書き込み終了していない場合に、バックライト（ＢＬ）の発光が起こると、混色が発生することになる。そのため、映像電圧の書き込み時間を短縮する必要があった。
【００１５】
図４は、本実施例の液晶表示モジュールの駆動方法を説明するための図である。なお、図４において、Ｔ１は、各ストア容量への映像信号の書き込み期間、Ｔ２は、液晶が応答する期間、Ｔ３は、バックライトの点灯期間を示す。また、ＦＬＭは、フレーム期間、ＳＦＬＭは、サブフレームを表す。
図５は、本実施例の液晶表示モジュールの駆動方法を説明するためのタイミングチャートである。なお、図５において、ＧＡ１〜ＧＡｎは、第１走査線（ＧＡ）に供給される電圧、ＧＢ１〜ＧＢｎは、第２走査線（ＧＢ）に供給される電圧、ＴＧＡは、第１転送用走査線（ＴＧＡ）に供給される電圧、ＴＧＢは、第２転送用走査線（ＴＧＢ）に供給される電圧、ＲＢは、リセット走査線（ＲＧ）に印加される電圧である。また、ＢＬはバックライトの発光色を示す。
本実施例では、前述したように、１画素内に、２つストア部（ＰＳＡ，ＰＳＢ）を設け、例えば、ｋを任意の数とするとき、ｋフレーム期間の第１のサブフレームに、第１ＴＦＴ（Ｍ１Ａ）を１表示ライン毎に順次オンとして、映像線（Ｄ）から第１のストア部（ＰＳＡ）の第１のストア容量（ＣｓＡ）に、Ｒの映像信号を書き込む。
次の第２のサブフレームに、第１転送用ＴＦＴ（Ｍ２Ａ）をオンとして、第１のストア容量（ＣｓＡ）に書き込まれたＲの映像信号を画素容量に書き込み、液晶応答が終了した後に、バックライト（ＢＬ）から赤色の光を照射する。
同時に、このサブフレーム期間に、第２ＴＦＴ（Ｍ２Ｂ）を１表示ライン毎に順次オンとして、映像線（Ｄ）から第２のストア部（ＰＳＢ）の第２のストア容量（ＣｓＢ）に、Ｇの映像信号を書き込む。
次の第３のサブフレームに、第２転送用ＴＦＴ（Ｍ２Ｂ）をオンとして、第２のストア容量（ＣｓＢ）に書き込まれたＧの映像信号を画素容量に書き込み、液晶応答が終了した後に、バックライト（ＢＬ）から緑色の光を照射する。
同時に、このサブフレーム期間に、第１ＴＦＴ（Ｍ１Ａ）を１表示ライン毎に順次オンとして、映像線（Ｄ）から第１のストア部（ＰＳＡ）の第１のストア容量（ＣｓＡ）に、Ｂの映像信号を書き込む。
【００１６】
（ｋ＋１）フレーム期間の第１のサブフレームに、第１転送用ＴＦＴ（Ｍ２Ａ）をオンとして、第１のストア容量（ＣｓＡ）に書き込まれたＢの映像信号を画素容量に書き込み、液晶応答が終了した後に、バックライト（ＢＬ）から青色の光を照射する。
同時に、このサブフレーム期間に、第２ＴＦＴ（Ｍ２Ｂ）を１表示ライン毎に順次オンとして、映像線（Ｄ）から第２のストア部（ＰＳＢ）の第２のストア容量（ＣｓＢ）に、Ｒの映像信号を書き込む。
次の第２のサブフレームに、第２転送用ＴＦＴ（Ｍ２Ｂ）をオンとして、第２のストア容量（ＣｓＢ）に書き込まれたＲの映像信号を画素容量に書き込み、液晶応答が終了した後に、バックライト（ＢＬ）から赤色の光を照射する。
同時に、このサブフレーム期間に、第１ＴＦＴ（Ｍ１Ａ）を１表示ライン毎に順次オンとして、映像線（Ｄ）から第１のストア部（ＰＳＡ）の第１のストア容量（ＣｓＡ）に、Ｇの映像信号を書き込む。
次の第３のサブフレームに、第１転送用ＴＦＴ（Ｍ２Ａ）をオンとして、第１のストア容量（ＣｓＡ）に書き込まれたＧの映像信号を画素容量に書き込み、液晶応答が終了した後に、バックライト（ＢＬ）から緑色の光を照射する。
同時に、このサブフレーム期間に、第２ＴＦＴ（Ｍ１Ｂ）を１表示ライン毎に順次オンとして、映像線（Ｄ）から第２のストア部（ＰＳＢ）の第２のストア容量（ＣｓＢ）に、Ｂの映像信号を書き込む。以下、同様にして、液晶表示パネル１０に画像を表示する。
【００１７】
また、各サブフレーム期間の始めに、リセット用ＴＦＴ（Ｍ３）がオンとなり、画素電極（ＩＴＯ１）に、リセット線（Ｖｒｓ）からリセット電圧が書き込まれ、画素容量がリセットされる。
このように、本実施例では、第１のストア部（ＰＳＡ）に映像信号を書き込んでいる間に、第２のストア部（ＰＳＢ）から映像信号を画素容量に書き込み、逆に、第２のストア部（ＰＳＢ）に映像信号を書き込んでいる間に、第１のストア部（ＰＳＡ）から映像信号を画素容量に書き込み込むようにしたので、映像信号の書き込み期間と、液晶の応答・バックライト（ＢＬ）の点灯期間とを分離することができる。
これにより、映像電圧の書き込み時間を長くすることができ、かつ、バックライト（ＢＬ）の点灯時間を長くして、表示画像の輝度を向上させることが可能となる。
【００１８】
［実施例２］
本発明の実施例２の液晶表示モジュールの構成は、図１と同じであるので、本実施例の液晶表示モジュールの詳細な説明は省略する。
図６は、本実施例の液晶表示パネル１０の１画素の等価回路を示す回路図である。
図６に示すように、本実施例は、第１のストア部（ＰＳＡ）が、Ｒ（赤）用の第１のストア容量（ＲＣｓＡ）と、Ｇ（緑）用の第１のストア容量（ＧＣｓＡ）と、Ｂ（青）用の第１のストア容量（ＢＣｓＡ）の３つで構成され、同じく、第２のストア部（ＰＳＢ）が、Ｒ用の第１のストア容量（ＲＣｓＢ）と、Ｇ用の第１のストア容量（ＧＣｓＢ）と、Ｂ用の第１のストア容量（ＢＣｓＢ）の３つで構成されてる点で、前述の実施例と相違する。
そのため、本実施例では、Ｒ用の映像線（ＲＤ）と、Ｒ用の第１のストア容量（ＲＣｓＡ）との間には、Ｒ用の第１ＴＦＴ（ＲＭ１Ａ）が接続される。
また、Ｇ用の映像線（ＧＤ）と、Ｇ用の第１のストア容量（ＧＣｓＡ）との間には、Ｇ用の第１ＴＦＴ（ＧＭ１Ａ）が接続される。
また、Ｂ用の映像線（ＢＤ）と、Ｂ用の第１のストア容量（ＢＣｓＡ）との間には、Ｂ用の第１ＴＦＴ（ＢＭ１Ａ）が接続される。
これらの第１ＴＦＴ（ＲＭ１Ａ，ＧＭ１Ａ，ＢＭ１Ａ）のゲートは、第１走査線（ＧＡ）に接続される。
また、Ｒ用の映像線（ＲＤ）と、Ｒ用の第２のストア容量（ＲＣｓＢ）との間には、Ｒ用の第２ＴＦＴ（ＲＭ１Ｂ）が接続される。
また、Ｇ用の映像線（ＧＤ）と、Ｇ用の第２のストア容量（ＧＣｓＢ）との間には、Ｇ用の第２ＴＦＴ（ＧＭ１Ｂ）が接続される。
また、Ｂ用の映像線（ＢＤ）と、Ｂ用の第２のストア容量（ＢＣｓＢ）との間には、Ｂ用の第２ＴＦＴ（ＢＭ１Ｂ）が接続される。
これらの第２ＴＦＴ（ＲＭ１Ｂ，ＧＭ１Ｂ，ＢＭ１Ｂ）のゲートは、第２走査線（ＧＢ）に接続される。
ここで、第１走査線（ＧＡ）と、第２走査線（ＧＢ）とは、各表示ラインに対応してＮ本並列して配置され、Ｒ，Ｇ，Ｂ用の各映像線（ＲＤ，ＧＤ，ＢＤ）は、Ｍ本並列して配置される。
なお、第１走査線（ＧＡ）、および、第２走査線（ＧＢ）は、ゲートドライバ３０に接続され、各映像線（ＲＤ，ＧＤ，ＢＤ）は、ソースドライバ２０に接続される。
【００１９】
また、Ｒ用の第１のストア容量（ＲＣｓＡ）と表示電極（ＩＴＯ１）との間には、Ｒ用の第１転送用ＴＦＴ（ＲＭ２Ａ）が接続される。このＲ用の第１転送用ＴＦＴ（ＲＭ２Ａ）のゲートは、Ｒ用の第１転送用走査線（ＲＴＧＡ）に接続される。
また、Ｇ用の第１のストア容量（ＧＣｓＡ）と表示電極（ＩＴＯ１）との間には、Ｇ用の第１転送用ＴＦＴ（ＧＭ２Ａ）が接続される。このＧ用の第１転送用ＴＦＴ（ＧＭ２Ａ）のゲートは、Ｇ用の第１転送用走査線（ＧＴＧＡ）に接続される。
また、Ｂ用の第１のストア容量（ＢＣｓＡ）と表示電極（ＩＴＯ１）との間には、Ｂ用の第１転送用ＴＦＴ（ＢＭ２Ａ）が接続される。このＢ用の第１転送用ＴＦＴ（ＢＭ２Ａ）のゲートは、Ｂ用の第１転送用走査線（ＢＴＧＡ）に接続される。
また、Ｒ用の第２のストア容量（ＲＣｓＢ）と表示電極（ＩＴＯ１）との間には、Ｒ用の第２転送用ＴＦＴ（ＲＭ２Ｂ）が接続される。このＲ用の第２転送用ＴＦＴ（ＲＭ２Ｂ）のゲートは、Ｒ用の第２転送用走査線（ＲＴＧＢ）に接続される。
また、Ｇ用の第２のストア容量（ＧＣｓＢ）と表示電極（ＩＴＯ１）との間には、Ｇ用の第２転送用ＴＦＴ（ＧＭ２Ｂ）が接続される。このＧ用の第２転送用ＴＦＴ（ＧＭ２Ｂ）のゲートは、Ｇ用の第２転送用走査線（ＧＴＧＢ）に接続される。
また、Ｂ用の第２のストア容量（ＢＣｓＢ）と表示電極（ＩＴＯ１）との間には、Ｂ用の第２転送用ＴＦＴ（ＢＭ２Ｂ）が接続される。このＢ用の第２転送用ＴＦＴ（ＢＭ２Ｂ）のゲートは、Ｂ用の第２転送用走査線（ＢＴＧＢ）に接続される。
ここで、各第１転送用走査線（ＲＴＧＡ，ＧＴＧＡ，ＢＴＧＡ）、並びに、各第２転送用走査線（ＲＴＧＢ，ＧＴＧＢ，ＢＴＧＢ）の各々は、各表示ラインに対応してＮ本並列して配置しても、あるいは、グループ単位で配置しても、さらには、１本だけ配置するようにしてもよい。
なお、各第１転送用走査線（ＲＴＧＡ，ＧＴＧＡ，ＢＴＧＡ）、並びに、各第２転送用走査線（ＲＴＧＢ，ＧＴＧＢ，ＢＴＧＢ）は、ゲートドライバ３０に接続される。
なお、本実施例では、各画素電極（ＩＴＯ１）に、リセット電圧を印加するリセット用ＴＦＴ（Ｍ３）のゲートは、リセット走査線（ＲＧ）に接続される。したがって、リセット電圧は、Ｒ用の映像線（ＲＤ）から供給される。
【００２０】
図７は、本実施例の液晶表示モジュールの駆動方法を説明するための図である。なお、図７において、Ｔ１は、各ストア容量への映像信号の書き込み期間、Ｔ２は、液晶が応答する期間、Ｔ３は、バックライトの点灯期間を示す。また、ＦＬＭは、フレーム期間、ＳＦＬＭは、サブフレームを表す。
図８は、本実施例の液晶表示モジュールの駆動方法を説明するためのタイミングチャートである。なお、図８において、ＧＡ１〜ＧＡｎは、第１走査線（ＧＡ）に供給される電圧、ＧＢ１〜ＧＢｎは、第２走査線（ＧＢ）に供給される電圧、ＲＴＧＡ、ＧＴＧＡ、ＢＴＧＡは、各第１転送用走査線に供給される電圧、ＲＴＧＢ、ＧＴＧＢ、ＢＴＧＢは、各第２転送用走査線に供給される電圧、ＲＢは、リセット走査線に印加される電圧である。また、ＢＬはバックライトの発光色を示す。
本実施例では、ｋを任意の数とするとき、ｋフレーム期間に、各第１ＴＦＴ（ＲＭ１Ａ，ＧＭ１Ａ，ＢＭ１Ａ）を１表示ライン毎に順次オンとして、各映像線（ＲＤ，ＧＤ，ＢＤ）から第１のストア部（ＰＳＡ）の各第１のストア容量（ＲＣｓＡ，ＧＣｓＡ，ＢＣｓＡ）に、Ｒ、Ｇ、Ｂの各映像信号を書き込む。
同時に、ｋフレーム期間の第１のサブフレーム期間に、Ｒ用の第２転送用ＴＦＴ（ＲＭ２Ｂ）をオンとして、Ｒ用の第２のストア容量（ＲＣｓＢ）に書き込まれたＲの映像信号を画素容量に書き込み。液晶応答が終了した後に、バックライト（ＢＬ）から赤色の光を照射する。
また、ｋフレーム期間の第２のサブフレーム期間に、Ｇ用の第２転送用ＴＦＴ（ＧＭ２Ｂ）をオンとして、Ｇ用の第２のストア容量（ＧＣｓＢ）に書き込まれたＧの映像信号を画素容量に書き込み。液晶応答が終了した後に、バックライト（ＢＬ）から緑色の光を照射する。
また、ｋフレーム期間の第３のサブフレーム期間に、Ｂ用の第２転送用ＴＦＴ（ＢＭ２Ｂ）をオンとして、Ｂ用の第２のストア容量（ＢＣｓＢ）に書き込まれたＢの映像信号を画素容量に書き込み。液晶応答が終了した後に、バックライト（ＢＬ）から青色の光を照射する。
【００２１】
また、（ｋ＋１）フレーム期間に、各第２ＴＦＴ（ＲＭ１Ｂ，ＧＭ１Ｂ，ＢＭ１Ｂ）を１表示ライン毎に順次オンとして、各映像線（ＲＤ，ＧＤ，ＢＤ）から第２のストア部（ＰＳＢ）の各第２のストア容量（ＲＣｓＢ，ＧＣｓＢ，ＢＣｓＢ）に、Ｒ、Ｇ、Ｂの各映像信号を書き込む。
この（ｋ＋１）フレーム期間の第１のサブフレーム期間に、Ｒ用の第１転送用ＴＦＴ（ＲＭ２Ａ）をオンとして、Ｒ用の第１のストア容量（ＲＣｓＡ）に書き込まれたＲの映像信号を画素容量に書き込み。液晶応答が終了した後に、バックライト（ＢＬ）から赤色の光を照射する。
また、（ｋ＋１）フレーム期間の第２のサブフレーム期間に、Ｇ用の第１転送用ＴＦＴ（ＧＭ２Ａ）をオンとして、Ｇ用の第１のストア容量（ＧＣｓＡ）に書き込まれたＧの映像信号を画素容量に書き込み。液晶応答が終了した後に、バックライト（ＢＬ）から緑色の光を照射する。
また、（ｋ＋１）フレーム期間の第３のサブフレーム期間に、Ｂ用の第１転送用ＴＦＴ（ＢＭ２Ａ）をオンとして、Ｂ用の第１のストア容量（ＢＣｓＡ）に書き込まれたＢの映像信号を画素容量に書き込み。液晶応答が終了した後に、バックライト（ＢＬ）から青色の光を照射する。以下、同様にして、液晶表示パネル１０に画像を表示する。
【００２２】
また、各サブフレーム期間の始めに、リセット用ＴＦＴ（Ｍ３）がオンとなり、画素電極（ＩＴＯ１）に、Ｒ用の映像線（ＲＤ）からリセット電圧が書き込まれ、液晶容量（ＬＣ）がリセットされる。
このように、本実施例では、１フレーム期間内に、第１のストア部（ＰＳＡ）に映像信号を書き込んでいる間に、第２のストア部（ＰＳＢ）から、Ｒ、Ｇ、Ｂの各映像信号を、各サブフレーム期間毎に順次画素容量に書き込み、逆に、第２のストア部（ＰＳＢ）に映像信号を書き込んでいる間に、第１のストア部（ＰＳＡ）から、Ｒ、Ｇ、Ｂの各映像信号を、各サブフレーム期間毎に順次画素容量に書き込み込むようにしたので、映像信号の書き込み期間と、液晶の応答・バックライト（ＢＬ）の点灯期間とを分離することができる。
これにより、映像電圧の書き込み時間を長くすることができる。また、サブフレーム期間に液晶応答時間だけを考えて、バックライト（ＢＬ）の点灯時間を決定できるので、バックライト（ＢＬ）の点灯時間を長くして、表示画像の輝度を向上させることが可能となる。さらに、液晶容量（ＬＣ）をリセットするようにしたので、混色をなくすことができる。
なお、前述の特許文献４（特開２０００−１９９８８５号公報）には、フィールドシーケンシャル方式の液晶表示装置において、１画素内に、複数段（例えば、２段）のラッチ回路を設け、表示データの書き込み期間と、液晶の応答・バックライト（ＢＬ）の点灯期間とを分離すことが記載されている。
しかしながら、１画素内に、複数段のラッチ回路を設けることは、画素の回路構成が複雑し、制御方法が複雑化するという問題がある。しかも、この特許文献４には、第１のストア部（ＰＳＡ）と、第２のストア部（ＰＳＢ）とを併設することは記載されていない。
以上、本発明者によってなされた発明を、前記実施例に基づき具体的に説明したが、本発明は、前記実施例に限定されるものではなく、その要旨を逸脱しない範囲において種々変更可能であることは勿論である。
【図面の簡単な説明】
【００２３】
【図１】本発明の実施例１の液晶表示モジュールの概略構成を示すブロック図である。
【図２】本発明の実施例１の液晶表示パネルの１画素の構成を示す図である。
【図３】図２に示す画素の等価回路を示す回路図である。
【図４】本発明の実施例１の液晶表示モジュールの駆動方法を説明するための図である。
【図５】本発明の実施例１の液晶表示モジュールの駆動方法を説明するためのタイミングチャートである。
【図６】本発明の実施例２の液晶表示パネルの１画素の等価回路を示す回路図である。
【図７】本発明の実施例２の液晶表示モジュールの駆動方法を説明するための図である。
【図８】本発明の実施例２の液晶表示モジュールの駆動方法を説明するためのタイミングチャートである。
【図９】従来のフィールドシーケンシャル方式の液晶表示モジュールの駆動方法を説明するための図である。
【符号の説明】
【００２４】
１０  液晶表示パネル
２０  ソースドライバ
３０  ゲートドライバ
４０  点灯制御回路
５０  タイミング制御回路
ＧＡ，ＧＢ  走査線（またはゲート線）
Ｄ，ＲＤ，ＧＤ，ＢＤ  映像線（またはドレイン線）
ＴＧＡ，ＲＴＧＡ，ＧＴＧＡ，ＢＴＧＡ，ＴＧＢ，ＲＴＧＢ，ＧＴＧＢ，ＢＴＧＢ  転送用走査線
Ｖｒｓ  リセット線
ＲＧ  リセット走査線
ＢＬ  バックライト
Ｍ１Ａ，ＲＭ１Ａ，ＧＭ１Ａ，ＢＭ１Ａ，Ｍ１Ｂ，ＲＭ１Ｂ，ＧＭ１Ｂ，ＢＭ１Ｂ，Ｍ２Ａ，ＲＭ２Ａ，ＧＭ２Ａ，ＢＭ２Ａ，Ｍ２Ｂ，ＲＭ２Ｂ，ＧＭ２Ｂ，ＢＭ２Ｂ，Ｍ３  薄膜トランジスタ
ＩＴＯ１  画素電極
Ｖｃｏｍ  共通電極（対向電極、または、コモン電極）
ＣＬ  液晶容量
ＣｓＡ，ＲＣｓＡ，ＧＣｓＡ，ＢＣｓＡ，ＣｓＢ，ＲＣｓＢ，ＧＣｓＢ，ＢＣｓＢ  ストア容量
ＧＬＡＳ１，ＧＬＡＳ２  ガラス基板
ＰＳＡ，ＰＳＢ  ストア部
【図１】
2007155983.tif 000003
【図２】
2007155983.tif 000004
【図３】
2007155983.tif 000005
【図４】
2007155983.tif 000006
【図５】
2007155983.tif 000007
【図６】
2007155983.tif 000008
【図７】
2007155983.tif 000009
【図８】
2007155983.tif 000010
【図９】
2007155983.tif 000011